(57)【特許請求の範囲】
【請求項１】
複数の無線アクセス技術（ＲＡＴ）を使用して通信することが可能な、被試験デバイス（ＤＵＴ）である複数のパケットデータ信号送受信器をテストするシステムを含む装置であって、
パケットデータ信号の少なくとも一部分の各々を複数のＤＵＴのそれぞれに伝達する複数の信号接続部と、
前記パケットデータ信号を提供するパケットデータ信号ソースであって、前記パケットデータ信号は複数の順次信号セグメントを含み、前記複数の順次信号セグメントはそれぞれが、隣接する信号セグメントを隔てるセグメントタイミング境界を少なくとも含む各信号タイミングパラメータと、複数のＲＡＴに従って相互に別個の信号特性と、を有する、パケットデータ信号ソースと、
前記パケットデータ信号ソースと前記複数の信号接続部との間に結合され、前記複数の順次信号セグメントのそれぞれを前記複数の信号接続部のそれぞれにルーティングすることにより、少なくとも１つ以上のルーティング制御信号に応答する、信号ルーティング回路と、
前記信号ルーティング回路に結合される制御回路であって、
前記複数の順次信号セグメントのうちの第１の順次信号セグメントの少なくとも一部分が、前記各信号タイミングパラメータのうちの第１の信号タイミングパラメータに関連する第１の時間間隔中、前記複数の信号接続部のうちの第１の信号接続部にルーティングされ、
前記複数の順次信号セグメントのうちの第２の順次信号セグメントの少なくとも一部分が、前記各信号タイミングパラメータのうちの第２の信号タイミングパラメータに関連する第２の時間間隔中、前記複数の信号接続部のうちの第２の信号接続部にルーティングされること
に従って前記１つ以上のルーティング制御信号を提供する、制御回路と
を備える、装置。
【請求項２】
前記各信号タイミングパラメータのうちの前記第１の信号タイミングパラメータは、前記複数の順次信号セグメントのうちの前記第１の順次信号セグメントに対応し、
前記各信号タイミングパラメータのうちの前記第２の信号タイミングパラメータは、前記複数の順次信号セグメントのうちの前記第２の順次信号セグメントに対応する、請求項１に記載の装置。
【請求項３】
前記パケットデータ信号ソースは、前記パケットデータ信号を提供することにより、少なくとも１つ以上のソース制御信号に応答する、請求項１に記載の装置。
【請求項４】
前記１つ以上のルーティング制御信号は、前記１つ以上のソース制御信号に関連する、請求項３に記載の装置。
【請求項５】
前記制御回路は、前記パケットデータ信号ソースに更に結合され、前記１つ以上のソース制御信号を提供する、請求項３に記載の装置。
【請求項６】
前記制御回路は、タイマ回路を備えて、前記１つ以上のソース制御信号及び前記１つ以上のルーティング制御信号に関連する複数のタイミング信号を提供する、請求項３に記載の装置。
【請求項７】
前記パケットデータ信号ソースはベクトル信号生成器を含む、請求項１に記載の装置。
【請求項８】
前記信号ルーティング回路は信号切り換え回路を含む、請求項１に記載の装置。
【請求項９】
前記信号ルーティング回路は信号多重化回路を含む、請求項１に記載の装置。
【請求項１０】
複数の無線アクセス技術（ＲＡＴ）を使用して通信することが可能な被試験デバイス（ＤＵＴ）である、複数のパケットデータ信号送受信器をテストする方法であって、
複数の順次信号セグメントを含むパケットデータ信号を生成することであって、前記複数の順次信号セグメントはそれぞれが、隣接する信号セグメントを隔てるセグメントタイミング境界を少なくとも含む各信号タイミングパラメータと、複数のＲＡＴに従って相互に別個の信号特性と、を有することと、
前記複数の順次信号セグメントのそれぞれを複数のＤＵＴのそれぞれにルーティングすることにより、少なくとも１つ以上のルーティング制御信号に応答することと、
前記１つ以上のルーティング制御信号を生成することであって、
前記複数の順次信号セグメントのうちの第１の順次信号セグメントの少なくとも一部分が、前記各信号タイミングパラメータのうちの第１の信号タイミングパラメータに関連する第１の時間間隔中、前記複数のＤＵＴのうちの第１のＤＵＴにルーティングされ、
前記複数の順次信号セグメントのうちの第２の順次信号セグメントの少なくとも一部分が、前記各信号タイミングパラメータのうちの第２の信号タイミングパラメータに関連する第２の時間間隔中、前記複数のＤＵＴのうちの第２のＤＵＴにルーティングされること
に従って、前記１つ以上のルーティング制御信号を生成することと
を含む、方法。
【請求項１１】
前記各信号タイミングパラメータのうちの前記第１の信号タイミングパラメータは、前記複数の順次信号セグメントのうちの前記第１の順次信号セグメントに対応し、前記各信号タイミングパラメータのうちの前記第２の信号タイミングパラメータは、前記複数の順次信号セグメントのうちの前記第２の順次信号セグメントに対応する、請求項１０に記載の方法。
【請求項１２】
前記パケットデータ信号を生成することは、前記パケットデータ信号を生成することにより、少なくとも１つ以上のソース制御信号に応答することを含む、請求項１０に記載の方法。
【請求項１３】
前記１つ以上のルーティング制御信号は、前記１つ以上のソース制御信号に関連する、請求項１２に記載の方法。
【請求項１４】
前記１つ以上のソース制御信号を生成することを更に含む、請求項１２に記載の方法。
【請求項１５】
前記１つ以上のソース制御信号及び前記１つ以上のルーティング制御信号に関連する複数のタイミング信号を生成することを更に含む、請求項１２に記載の方法。
【請求項１６】
前記パケットデータ信号を生成することは、ベクトル信号生成器を用いて前記パケットデータ信号を生成することを含む、請求項１０に記載の方法。
【請求項１７】
前記複数の順次信号セグメントの少なくとも一部分のそれぞれの少なくとも一部分をルーティングすることは、前記複数の順次信号セグメントを切り換えることを含む、請求項１０に記載の方法。
【請求項１８】
前記複数の順次信号セグメントの少なくとも一部分のそれぞれの少なくとも一部分をルーティングすることは、前記複数の順次信号セグメントを多重化することを含む、請求項１０に記載の方法。
【発明の詳細な説明】
【技術分野】
【０００１】
本発明は、被試験デバイス（ＤＵＴ）であるパケットデータ信号送受信器のテストに関し、特に、共有パケットデータ信号ソースを使用して、複数の無線アクセス技術（ＲＡＴ）を使用して通信することが可能な複数のＤＵＴをテストすることに関する。
【背景技術】
【０００２】
今日の電子デバイスの多くは、接続及び通信の両目的で無線技術を使用している。無線デバイスは、電磁エネルギーを送受信するために、更には２台以上の無線デバイスが、信号周波数及び電力スペクトル密度により互いの動作に干渉するおそれがあるために、これらのデバイス及び無線技術は、様々な無線技術規格仕様に準拠しなければならない。
【０００３】
そのような無線デバイスを設計する場合、技術者は、そのようなデバイスが、含まれる無線技術に規定された規格に基づく仕様のそれぞれを十分満たすことを保証することに格別に注意を払う。さらに、これらのデバイスが後に、大量に製造される場合、デバイスはテストされて、製造欠陥により、含まれる無線技術の規格に基づく仕様への準拠を含め、不適切な動作が生じないようにすることを保証する。
【０００４】
製造及び組み立て後にこれらのデバイスをテストするために、現在の無線デバイステストシステムは、各デバイスから受信される信号を分析するサブシステムを利用している。そのようなサブシステムは通常、テスト中のデバイスに送信されるソース信号を提供する少なくとも１つのベクトル信号生成器（ＶＳＧ）と、被試験デバイスによって生成される信号を分析するベクトル信号分析器（ＶＳＡ）とを含む。ＶＳＧによるテスト信号の生成及びＶＳＡによって実行される信号分析は一般に、それぞれが、異なる周波数範囲、帯域幅、及び信号変調特性を有する様々な無線技術規格への準拠について、様々なデバイスのテストに使用できるように、プログラム可能である。
【０００５】
無線通信デバイスの製造の一環として、製造コストの大きな要素は製造テストに関連するコスト、特に、月に数百万の割合で製造される多くのそのようなデバイスに関連するコストである。通常、テストのコストと、テストの実行に必要なテスト機器の精緻さとの間には直接の相関がある。したがって、機器コスト（例えば、ますます精緻化するテスト機器又はテスタのコスト上昇に起因するコスト）を最小に抑えながらテスト精度を維持することができる革新が重要であり、大きなコスト限定を提供することができる。
【０００６】
そのような無線ＤＵＴのテストは、複数のＤＵＴを同時にテストすることによって行うことができる。一つの技術は、複数のテストシステム又はテスタを使用することを含み、これらテストシステム又はテスタのそれぞれ１つはそれ自体のＤＵＴに接続され、基本的に並列に動作する。別の技術は、複数のＤＵＴが、初期化及び同期後に、一連の複製テスト波形を受信するように、テスト機器リソースを共有することを含む。この技術は、ＤＵＴが全て同じ波形を受信し、同じ無線アクセス技術（ＲＡＴ）をテストする場合に使用することができる。異なるＲＡＴに対して複数のＤＵＴがテストされ、ダウンロード（ＤＬ）テストパケットが異なる特性（例えば、ビットコンテンツ、パケット長、パケット持続時間等）を有する場合、テスト波形生成器（例えば、ＶＳＧ）は、特定のＲＡＴテストで一度に１つの波形しか供給することができない。異なるＲＡＴについてテスト中のＤＵＴは、１つのテスト波形生成器から信号を受信するように切り換えられるか、又は多重化されるため、各ＤＵＴの動作が、受信すべきテスト波形と適宜同期されない限り、テストの連続性及び完全性は失われることになる。したがって、同時ＤＵＴテストは、複数のＤＵＴが全て同じＲＡＴでテストされる場合に限られる。
【発明の概要】
【発明が解決しようとする課題】
【０００７】
したがって、ますます多様化する性能特性及び要件を有する複数のますます精緻化されるＤＵＴを、同様にますます多様化するテスト特性及び要件を有するますます精緻化されるテスタを必要とせずに同時にテストする技術を有することが望ましい。
【課題を解決するための手段】
【０００８】
本発明によれば、共有パケットデータ信号ソースを使用して、複数の無線アクセス技術（ＲＡＴ）を使用して通信することが可能な、被試験デバイス（ＤＵＴ）である複数のパケットデータ信号送受信器をテストするシステム及び方法が提供される。信号ソースは、各信号タイミングパラメータと、ＲＡＴに従って相互に別個の信号特性とを有する複数の順次信号セグメントを含むパケットデータ信号を提供する。信号タイミングパラメータに基づいて、各信号セグメントの少なくとも一部分は、複数の信号接続のそれぞれ１つにルーティングされて、対応するＤＵＴに伝達される。
【０００９】
本発明の一実施形態によれば、複数の無線アクセス技術（ＲＡＴ）を使用して通信することが可能な被試験デバイス（ＤＵＴ）である複数のパケットデータ信号送受信器をテストするシステムは、パケットデータ信号の少なくとも一部分の各々を複数のＤＵＴのそれぞれに伝達する複数の信号接続と、パケットデータ信号を提供するパケットデータ信号ソースであって、パケットデータ信号は、隣接する信号セグメントを隔てるセグメントタイミング境界を少なくとも含む各信号タイミングパラメータと、複数のＲＡＴに従って相互に別個の信号特性とを有する複数の順次信号セグメントを含む、パケットデータ信号ソースと、パケットデータ信号ソースと複数の信号接続との間に結合され、複数の順次信号セグメントの少なくとも一部分のそれぞれの少なくとも一部分を複数の信号接続のそれぞれにルーティングすることにより、少なくとも１つ以上のルーティング制御信号に応答する、信号ルーティング回路と、信号ルーティング回路に結合されて、１つ以上のルーティング制御信号を提供する制御回路とを含む。１つ以上のルーティング制御信号により、複数の順次信号セグメントのうちの第１の順次信号セグメントの少なくとも一部分は、各信号タイミングパラメータのうちの第１の信号タイミングパラメータに関連する第１の時間間隔中、複数の信号接続のうちの第１の信号接続にルーティングされ、複数の順次信号セグメントのうちの第２の順次信号セグメントの少なくとも一部分は、各信号タイミングパラメータのうちの第２の信号タイミングパラメータに関連する第２の時間間隔中、複数の信号接続のうちの第２の信号接続にルーティングされる。
【００１０】
本発明の別の実施形態によれば、複数の無線アクセス技術（ＲＡＴ）を使用して通信することが可能な被試験デバイス（ＤＵＴ）である複数のパケットデータ信号送受信器をテストする方法は、隣接する信号セグメントを隔てるセグメントタイミング境界を少なくとも含む各信号タイミングパラメータと、複数のＲＡＴに従って相互に別個の信号特性とを有する複数の順次信号セグメントを含むパケットデータ信号を生成することと、複数の順次信号セグメントの少なくとも一部分のそれぞれ少なくとも一部分を複数のＤＵＴのそれぞれにルーティングすることにより、少なくとも１つ以上のルーティング制御信号に応答することと、１つ以上のルーティング制御信号を生成することとを含む。１つ以上のルーティング制御信号により、複数の順次信号セグメントのうちの第１の順次信号セグメントの少なくとも一部分は、各信号タイミングパラメータのうちの第１の信号タイミングパラメータに関連する第１の時間間隔中、複数の信号接続のうちの第１の信号接続にルーティングされ、複数の順次信号セグメントのうちの第２の順次信号セグメントの少なくとも一部分は、各信号タイミングパラメータのうちの第２の信号タイミングパラメータに関連する第２の時間間隔中、複数の信号接続のうちの第２の信号接続にルーティングされる。
【図面の簡単な説明】
【００１１】
【図１】図１は、本発明の例示的な実施形態による複数のＤＵＴをテストするテスト環境を示す。
【図２】図２は、本発明の例示的な実施形態による、複数のＤＵＴをテストする際に共有テスト信号ソースによって提供される信号セグメントを示す。
【図３】図３は、本発明の例示的な実施形態による、複数のＤＵＴをテストするために提供される信号セグメントの例示的なタイミング関係を示す。
【発明を実施するための形態】
【００１２】
以下の詳細な説明は、添付図面を参照して行った、本発明の実施形態例の説明である。この説明は、例示であることが意図され、本発明の範囲に関して限定しない。実施形態は、当業者が本発明を実施できるようにするのに十分に詳細に説明され、本発明の思想又は範囲から逸脱せずに、幾つもの変形を有する他の実施形態も実施可能なことが理解されよう。
【００１３】
本開示全体を通して、文脈から逆のことが明確に示されない限り、説明される個々の回路要素が単数又は複数であり得ることが理解されよう。例えば、「回路」及び「電気回路」という用語は、１つの構成要素又は複数の構成要素を含み得、構成要素は、能動的なもの及び／又は受動的なものであり、一緒に接続又は他の方法で結合されて（例えば、１つ以上の集積回路チップとして）、記載される機能を提供する。さらに、「１つの」という用語は、１つ以上の電流、１つ以上の電圧、又はデータ信号を指し得る。図面内で、同様又は関連する要素は、同様又は関連する英字、数字、又は英数字指示を有する。さらに、本発明は、離散した電子回路（好ましくは、１つ以上の集積回路チップの形態）を使用して実施する文脈の中で考察されたが、そのような回路の任意の部分の機能は代替的に、処理される信号周波数又はデータレートに応じて、１つ以上の適宜プログラムされたプロセッサを使用して実施してもよい。さらに、図が様々な実施形態の機能ブロックの図を示す限り、機能ブロックは、必ずしもハードウェア回路の分割を示すわけではない。
【００１４】
以下でより詳述するとおり、本発明によれば、複数のＲＡＴを介して通信することが可能な複数のＤＵＴは、１つの共有パケットデータ信号ソースを使用して同時にテストすることができる。本発明によれば、共有信号ソース及び複数のＤＵＴの中での同期は、共有信号ソースが複数のＲＡＴテストに準拠した複数の波形を用いてパケットデータ信号を複数のＤＵＴに提供する場合であっても、管理され維持される。
【００１５】
より詳細には、複数のＤＵＴと共有波形信号生成器との同期は、共有信号生成器が順次、異なるＲＡＴテストに準拠する異なるダウンロード（ＤＬ）テストパケットに関わり、ＤＵＴに伝達するため、管理される。例示的な実施形態によれば、異なるＤＬテストパケットに関連付けられた個々のタイマが使用されて、実行すべき異なるＲＡＴテストに対応する異なるＤＬテストパケットに従って共有生成器により提供される無線周波数（ＲＦ）パケットデータ信号の順次パケットデータ信号セグメント間の切り換え又は多重化を開始し、調整する。これらのタイマによって提供されるタイミング信号は、ＤＬテストパケットに従って信号セグメントを生成すること及び適切なＤＵＴへのそのような信号セグメントの切り換え又は多重化を調整し、それにより、テストの連続性及び完全性を維持する。
【００１６】
周知の原理によれば、ＲＡＴは、互いに別個であり、信号周波数、パケットデータビットレート、信号変調方式、データパケット持続時間等を含め、１つ以上の異なる信号特性を有する。したがって、各ＲＡＴに関連付けられたＤＬデータパケットも、異なるビットコンテンツ及び持続時間を含め、異なる特性を有することになる。さらに、これらの異なる信号特性に起因して、ＤＬデータパケットの各組は、そのような異なるデータパケットコンテンツ、持続時間等を反映した異なる信号タイミングパラメータを有することになる。
【００１７】
図１に示されているように、例示的な実施形態によれば、テスト環境は、示されるように実質的に相互接続されたテスタ１２、外部コントローラ３０、及び複数のＤＵＴ４０を含む。ここに示されるように、以下の考察では、４つのＤＵＴ４０ａ、４０ｂ、４０ｃ、４０ｄが同時にテストされるものとして説明される。しかし、当業者により容易に認識されるように、本発明に従ってテストすることができるＤＵＴの数は、所望に応じて増減することができる。
【００１８】
テスタ１２は、信号ソース１４（例えば、ＶＳＧ）、信号受信器１６（例えば、ＶＳＡ）、信号ルーティング回路１８（例えば、信号切り換え又は多重化回路）、及び制御回路２０（例えば、テスタ１２の内部又は外部にある場合、テスタ１２に別の方法で関連付けられ、通信する）を含む。信号ソース１４は、複数のＤＵＴ４０間で共有される、異なるＲＡＴに従って複数の信号セグメントを有する（詳細は後述）ＲＦパケットデータ信号１５を提供する。この信号１５は、制御回路２０からの１つ以上の制御信号２１ｇに従って信号ソース１４によって生成され、制御回路２０からの１つ以上の制御信号２１ｒに従ってルーティング回路１８によって伝達される。例えば、ここに示されるように、ルーティング回路１８によって提供される複数の信号路１９のうちの第２の信号路１９ｂがイネーブルされて、ソース信号１５を第２のＤＵＴ４０ｂに伝達する。
【００１９】
ＤＵＴ４０の送信信号テスト中、信号受信器１６は、制御回路２０からの１つ以上の制御信号２１ａに従った受信及び分析のために、ＤＵＴ４０のうちの１つから切り換えられ、又は多重化された信号１７を受信する。
【００２０】
テスタ１２は、複数の（例えば、この例では４つ）ＲＦ信号接続１３を更に含み、ＲＦ信号接続１３を介して、通常、同軸ＲＦ信号ケーブル及びコネクタの形態の導電性信号路４１により、切り換えられ、又は多重化されたパケットデータ信号が伝達される。
【００２１】
外部コントローラ３０（例えば、適切な制御ソフトウェアがプログラムされたパーソナルコンピュータ）は、テスタ１２を制御する１つ以上の制御信号３１ｔと、ＤＵＴ４０の１つ以上の追加の制御信号３１とを提供する。例えば、各ＤＵＴ４０ａ、４０ｂ、４０ｃ、４０ｄは、異なるＲＡＴに従って動作するように、１つ以上の各制御信号３１ａ、３１ｂ、３１ｃ、３１ｄによって制御される。
【００２２】
例示的な実施形態によれば、複数のタイマ３２（例えば、個々のタイマ回路又はソフトウェアタイマ）が使用されて、タイミング制御データ又は信号３３を提供し、テスタ１２（例えば、共有信号ソース１４及びルーティング回路１８）及びＤＵＴ４０を調整し同期を維持する。例えば、４つのＤＵＴ４０を使用するこの例では、４つのタイマ３２ａ、３２ｂ、３２ｃ、３２ｄが使用されて、４つのタイミング信号３３ａ、３３ｂ、３３ｃ、３３ｄを提供し、信号ソース１４、複数のＤＵＴ４０、及び信号ルーティング回路１８を介したＤＵＴ４０への共有ソース信号１５の伝達の同期を開始し維持する。当業者には容易に理解されるように、これらのタイミング信号３３ａ、３３ｂ、３３ｃ、３３ｄは、信号ソース１４、ルーティング回路１８、及びＤＵＴ４０への制御信号２１ｇ、２１ｒ、３１に組み込まれて、制御信号２１ｇ、２１ｒ、３１を介して伝達されるか、又は別の方法で使用されて、制御信号２１ｇ、２１ｒ、３１を生成する。
【００２３】
更に容易に理解されるように、タイマ３２は、テスタ１２に関連付けられた制御回路２０内又は外部コントローラ３０内に組み込むことができる。例えば、テスタ制御回路２０内に含まれる場合、タイミング情報は、信号ソース１４及びルーティング回路１８の内部制御信号２１ｇ、２１ｒの部分としての使用に直接利用可能であるか、又は別の方法で内部制御信号２１ｇ、２１ｒを生成するために利用可能であり、外部制御信号インターフェース３１ｔ及びコントローラ３０を介してＤＵＴ制御信号３１の部分としての使用に提供するか、又は別の方法でＤＵＴ制御信号３１を生成するために提供することができる。同様に、外部コントローラ３０の部分として含まれる場合、タイミング情報は、ＤＵＴ制御信号３１の部分としての直接使用に利用可能、又はＤＵＴ制御信号３１を別の方法で生成するために利用可能であり、外部制御信号インターフェース３１ｔ及び内部制御回路２０を介して内部テスタ制御信号２１ｇ、２１ｒの部分としての使用に提供、又は内部テスタ制御信号２１ｇ、２１ｒを別の方法で生成するために提供することができる。
【００２４】
図２を参照して、共有ソース信号１５の部分として提供されるパケットデータ信号セグメントをよりよく理解することができる。上述したように、例示的な実施形態は、４つのＲＡＴに従って動作する４つのＤＵＴ４０のテストを含む。したがって、４つの組の信号セグメント１５ａ、１５ｂ、１５ｃ、１５ｄは、信号ソース１４によって生成され、選択されて、４つのタイマ３２ａ（Ａ）、３２ｂ（Ｂ）、３２ｃ（Ｃ）、３２ｄ（Ｄ）によって提供されるタイミング情報に従って適切なＤＵＴ４０ａ、４０ｂ、４０ｃ、４０ｄに伝達される。例えば、タイマＢ、Ｃ、Ｄ、及びＡの期限終了に従って、ＲＦパケットデータ信号１５は、第２、第３、第４、及び第１のＲＡＴに従い第２のＤＵＴ４０ｂ、第３のＤＵＴ４０ｃ、第４のＤＵＴ４０ｄ、及び第１のＤＵＴ４０ａをそれぞれテストするパケットデータ信号セグメント１５ｂａ、１５ｃｂ、１５ｄｂ、及び１５ａｃをそれぞれ含むことになる。
【００２５】
図３に示されているように、上述した通り、信号ソース１４は共有パケットデータ信号１５を提供する。タイマ３２ａ、３２ｂ、３２ｃ、３２ｄによって提供されたタイミング情報３３ａ、３３ｂ、３３ｃ、３３ｄに従い、異なるパケットデータ信号セグメント１５ｂａ、１５ｃｂ、１５ｄｂ、１５ａｃが、信号ルーティング回路１８の対応する信号路１９ｂ、１９ｃ、１９ｄ、１９ａを介して指定されたＤＵＴ４０ｂ、４０ｃ、４０ｄ、４０ａに提供される。（当業者には容易に理解されるように、パケットデータ信号セグメント持続時間、特定のテストで必要なパケットデータ信号セグメントの数等の様々なパケットデータ信号特性に従って他の順序のパケットデータ信号セグメントを他のＤＵＴシーケンスに伝達することもできる）。
【００２６】
この例のためにここで示されるように、様々なパケットデータ信号セグメント１５ａ、１５ｂ、１５ｃ、１５ｄの切り換え又は多重化は、信号セグメントタイミング境界、すなわち、隣接するパケットデータ信号セグメントの境界、又は別の方法での境界に基づいて行われているものとして示される。しかし、他の信号タイミングパラメータを使用して、パケットデータ信号セグメントの切り換え又は多重化を開始してもよいことが容易に理解されよう。例えば、様々なビットパターン又はデータパケットコンテンツに関連付けられた他のタイミングパラメータを使用して、様々なパケットデータ信号セグメントの切り換え又は多重化を開始するか、又は別の方法で調整することができる。さらに、所要又は所望のテスト条件に従って、各パケットデータ信号セグメントは、１つのデータパケット、複数のデータパケット、又はデータパケットの部分を含むことができる。
【００２７】
本発明の構造及び動作方法での他の様々な変更及び代替が、本発明の範囲及び思想から逸脱せずに、当業者に明らかになろう。本発明は特定の好ましい実施形態に関連して説明されたが、本発明がそのような特定の実施形態に極度に限定されるべきではないことを理解されたい。以下の特許請求の範囲が、本発明の範囲を定義し、これらの特許請求の範囲及びそれらの均等物内の構造及び方法が本発明の範囲に包含されることが意図される。
【図１】
0006464172.tif 000002
【図２】
0006464172.tif 000003
【図３】
0006464172.tif 000004